(57)【要約】      （修正有）【課題】リベットがかしめられることで取り付けられる電極端子を備える電池であって、リベットと発電要素との電気的な接続部分におけるエネルギーの損失が抑制された電池を提供する。【解決手段】発電要素と、発電要素を収容する電池容器、発電要素に接続される集電体１３０と、集電体１３０に接続される電極端子２００とを備える電池１０であって、電極端子２００には、電池容器と集電体１３０に設けられた貫通孔１３６とを貫通するリベット２１０が備えられ、集電体１３０には厚肉部１３５が設けられ、厚肉部１３５を貫通するように貫通孔１３６が設けられている。【選択図】図２
2013161719.tif 000002
【特許請求の範囲】
【請求項１】
発電要素と、前記発電要素を収容する電池容器と、前記発電要素に接続される集電体と、前記集電体に接続される電極端子とを備える電池であって、
前記電極端子には、前記電池容器と前記集電体に設けられた貫通孔とを貫通するリベットが備えられ、
前記集電体には厚肉部が設けられ、前記厚肉部を貫通するように前記貫通孔が設けられている
電池。
【請求項２】
前記厚肉部に設けられた前記貫通孔の形状および大きさは、全周において、前記リベットの外周面に接触する形状および大きさである
請求項１に記載の電池。
【請求項３】
前記厚肉部は、前記貫通孔の一部を形成する孔を有する集電補助部材が、前記集電体に取り付けられることで形成されている
請求項１または２に記載の電池。
【請求項４】
前記集電補助部材は、前記集電体側の面に突起を有し、前記突起は、前記リベットがかしめられることで、前記集電体に食い込む
請求項３に記載の電池。
【請求項５】
前記厚肉部は、前記貫通孔の周囲の部分を厚く形成することで、前記集電体に一体形成されている
請求項１に記載の電池。
【発明の詳細な説明】
【技術分野】
【０００１】
本発明は、発電要素を収容する電池容器と、発電要素に接続される集電体と、集電体に接続される電極端子とを備える電池に関する。
【背景技術】
【０００２】
近年、世界的な環境問題への取り組みとして、従来のガソリン自動車に代えてハイブリッド自動車および電気自動車等の、動力源としてモータを備える自動車が普及し始めている。
【０００３】
また、これらハイブリッド自動車等に備えられたモータに電力を供給する電源として、リチウムイオン二次電池などの各種電池が広く活用されている。
【０００４】
このような電池は、例えば、発電要素が収容された電池容器と、発電要素と接続された電極端子とを備えている。また、電極端子は、一般に、電池容器の蓋体を貫通した状態で電池容器に取り付けられており、発電要素からの電流を、電池容器の外方に導出する役割を担っている。
【０００５】
このような構造の電池を使用する場合、例えば、電極端子に大きな外力が作用することが考えられるため、電極端子を電池容器に強固に固定するための工夫が必要となる。
【０００６】
そこで、従来、かしめ部材によって電極端子が取り付けられた電池が提案されている（例えば特許文献１参照）。この電池によれば、電極端子が、電池容器の内方に延びる複数のかしめ部材によって電池容器内の電極板と接続される。これにより、電極端子の回転および破損等が防止される。
【先行技術文献】
【特許文献】
【０００７】
【特許文献１】特開２００９−２３１１４０号公報
【発明の概要】
【発明が解決しようとする課題】
【０００８】
ここで、電極端子に設けられたかしめ部材（例えばリベット）は、例えば、集電体を介して発電要素と電気的に接続される。具体的には、集電体に設けられた貫通孔にリベットが差し込まれた状態で、リベットの頭部がかしめ機を用いてかしめられる。
【０００９】
このような構造を有する電池においては、昨今の蓄電素子の大容量化および大電流化に伴い、発電要素と電極端子との電気的な接続部分の接触面積を広くし、これにより、当該接続部分におけるエネルギーの損失を可及的に抑制したいとの課題がある。
【００１０】
そのため、例えば、電極端子のリベットをより強力にかしめることで、リベットと集電体との密着性を向上させ、これにより、リベットと集電体との間における接触抵抗を低減させることが考えられる。
【００１１】
しかしながら、リベットをかしめる際の押圧力を増加させた場合、当該押圧力への対応策を施さなければ、例えば、集電体またはパッキン等の部材の、リベットの近傍部分における歪みの発生という別の問題を引き起こす可能性も存在する。
【００１２】
本発明は、上記従来の課題を考慮し、リベットがかしめられることで取り付けられる電極端子を備える電池であって、リベットと発電要素との電気的な接続部分におけるエネルギーの損失が抑制された電池を提供することを目的とする。
【課題を解決するための手段】
【００１３】
上記目的を達成するために、本発明の一態様に係る電池は、発電要素と、前記発電要素を収容する電池容器と、前記発電要素に接続される集電体と、前記集電体に接続される電極端子とを備える電池であって、前記電極端子には、前記電池容器と前記集電体に設けられた貫通孔とを貫通するリベットが備えられ、前記集電体には厚肉部が設けられ、前記厚肉部を貫通するように前記貫通孔が設けられている。
【００１４】
この構成によれば、電極端子に備えられたリベットは、集電体の厚肉部を貫通した状態でかしめられる。従って、リベットと集電体との間の接触面積は、厚肉部がない場合よりも増加する。その結果、リベットと発電要素との電気的な接続部分におけるエネルギーの損失は抑制される。
【００１５】
また、厚肉部を設けることで、集電体におけるリベット近傍の部分の強度が向上する。従って、例えば、比較的大きな押圧力でリベットをかしめた場合であっても、リベット近傍における歪みの発生は抑制される。つまり、かしめ時の押圧力に起因する歪み等の悪影響を排除しつつ、リベットを集電体に対してより均一に密着させることが可能となる。
【００１６】
また、厚肉部は、集電体の貫通孔の部分にのみ設ければよい。そのため、厚肉部を設けることによる集電体の重量の増加を、電池全体の重量に対して実質的に問題にならない範囲に抑えながら、上記効果を得ることができる。
【００１７】
また、本発明の一態様に係る電池において、前記厚肉部に設けられた前記貫通孔の形状および大きさは、全周において、前記リベットの外周面に接触する形状および大きさであるとしてもよい。
【００１８】
この構成によれば、リベットの外周面と貫通孔の内周面との接触面積は最大化され、これにより、リベットと集電体との間における接触抵抗はより低減される。その結果、リベットと発電要素との電気的な接続部分におけるエネルギーの損失はより抑制される。
【００１９】
また、本発明の一態様に係る電池において、前記厚肉部は、前記貫通孔の一部を形成する孔を有する集電補助部材が、前記集電体に取り付けられることで形成されているとしてもよい。
【００２０】
この構成によれば、集電補助部材を前記集電体に取り付けることで厚肉部を実現することができる。そのため、例えば、従来の集電体を用いて、厚肉部が集電体に設けられた電池を生産することが可能となる。
【００２１】
また、例えば、円盤形状の金属板に孔を開けることで集電補助部材を作製することができる。そのため、厚肉部が設けられた集電体の作製を容易に行うことができる。
【００２２】
また、本発明の一態様に係る電池において、前記集電補助部材は、前記集電体側の面に突起を有し、前記突起は、前記リベットがかしめられることで、前記集電体に食い込むとしてもよい。
【００２３】
この構成によれば、例えば、集電補助部材と集電体の表面との間の接触面積を増加させることができ、その結果、集電補助部材と集電体との間の接触抵抗が低減される。
【００２４】
また、本発明の一態様に係る電池において、前記厚肉部は、前記貫通孔の周囲の部分を厚く形成することで、前記集電体に一体形成されているとしてもよい。
【００２５】
この構成によれば、集電体と一体の要素として厚肉部が設けられる。そのため、例えば、リベットと集電体との導通状態の高い安定性が確保される。また、例えば、電池の組み立て手順の簡素化が図られる。
【発明の効果】
【００２６】
本発明によれば、リベットがかしめられることで取り付けられる電極端子を備える電池であって、リベットと発電要素との電気的な接続部分におけるエネルギーの損失が抑制された電池を提供することができる。
【図面の簡単な説明】
【００２７】
【図１】本発明の実施の形態における電池の内部構造の概要を示す斜視図である。
【図２】実施の形態の電池における電極端子の取付け構造の一例を示す部分断面図である。
【図３】実施の形態における厚肉部の構成の一例を示す断面図である。
【図４】実施の形態における厚肉部の構成の一例を示す下面図である。
【図５】実施の形態における電極端子の取付け工程の一例を示す断面図である。
【図６】突起を有する集電補助部材の断面の一例を示す図である。
【図７】集電補助部材を打ち抜くことで形成された突起の形状例を示す斜視図である。
【図８】実施の形態における厚肉部の第一の変形例を示す図である。
【図９】実施の形態における厚肉部の第二の変形例を示す図である。
【図１０】実施の形態における厚肉部の第三の変形例を示す図である。
【図１１】実施の形態における厚肉部の第四の変形例を示す図である。
【図１２】基体に一体に形成されたリベットを備える電極端子の取付け構造の一例を示す部分断面図である。
【発明を実施するための形態】
【００２８】
以下、図面を参照しながら、本発明の実施の形態における電池について説明する。なお、各図は、模式図であり、必ずしも厳密に図示したものではない。
【００２９】
また、以下で説明する実施の形態では、本発明の好ましい一具体例が示されている。実施の形態で示される数値、形状、構成要素、構成要素の配置および接続形態などは、一例であり、本発明を限定する主旨ではない。本発明は、特許請求の範囲によって限定される。よって、以下の実施の形態における構成要素のうち、独立請求項に記載されていない構成要素は、本発明の課題を達成するのに必ずしも必要ではないが、より好ましい形態を構成する要素として説明される。
【００３０】
まず、図１を用いて、本発明の実施の形態における電池１０の全般的な説明を行う。
【００３１】
図１は、本発明の実施の形態における電池１０の内部構造の概要を示す斜視図である。つまり、図１は、電池１０の内部構造を図示するために、後述する電池容器１００の一部の図示が省略された図である。
【００３２】
電池１０は、電気を充電し、また、電気を放電することのできる二次電池であり、例えば、非水電解質二次電池である。非水電解質二次電池としては、例えば、正極活物質がコバルト酸リチウムなどのリチウム遷移金属酸化物であり、負極活物質が炭素材料であるリチウムイオン二次電池を挙げることができる。
【００３３】
なお、電池１０の種類は、非水電解質二次電池には限定されず、非水電解質二次電池以外の二次電池であってもよく、また、乾電池などの一次電池であってもよい。
【００３４】
図１に示すように、実施の形態における電池１０は、電池容器１００と、電極端子２００と、電極端子３００とを備える。本実施の形態では、電極端子２００は正極の端子であり、電極端子３００は負極の端子である。
【００３５】
本実施の形態では、電極端子２００は、基体２０１と、基体２０１を貫通するリベット２１０とを有する。また、電極端子３００は、基体３０１と、基体３０１を貫通するリベット３１０とを有する。
【００３６】
基体２０１および基体３０１は、中実（solid）の導電体である。また、基体２０１および基体３０１の形状は、本実施の形態では円柱であるが、基体２０１および基体３０１の形状に特に限定はなく、直方体等の円柱以外の形状であってもよい。
【００３７】
電池容器１００は、金属からなる矩形筒状で底を備える本体と、当該本体の開口を閉塞する金属製の蓋板１１０とで構成されている。また、電池容器１００は、発電要素１２０等を内部に収容後、蓋板１１０と本体とが溶接等されることにより、内部を密封する構造を有する。
【００３８】
また、電極端子２００は、電池容器１００の気密性を保つためのパッキン２３０を介して電池容器１００の蓋板１１０に取り付けられている。電極端子３００も同様にパッキン３３０を介して電池容器１００の蓋板１１０に取り付けられている。
【００３９】
具体的には、図１に示すように、電極端子２００の基体２０１は、電池容器１００の外側に配置され、電極端子２００のリベット２１０は、電池容器１００と、集電体１３０とを貫通した状態でかしめられている。
【００４０】
電極端子３００も同様に電池容器１００に配置されている。つまり、基体３０１は、電池容器１００の外側に配置され、リベット２１０は、電池容器１００と、集電体１４０とを貫通した状態でかしめられている。
【００４１】
なお、基体２０１および３０１それぞれの例えば上面には、図示しないボルト穴等の連結部が形成されており、これら連結部に取り付けられた導電部材を介して、モータ等の装置に電池１０からの電力が供給される。
【００４２】
また、図１に示すように、電池容器１００の内方には、発電要素１２０が収容されており、さらに、正極側の集電体１３０と、負極側の集電体１４０とが配置されている。なお、電池１０の電池容器１００の内部には電解液などの液体が封入される場合があるが、当該液体の図示は省略する。
【００４３】
発電要素１２０は、詳細な図示は省略するが、正極と負極とセパレータとを備え、電気を蓄えることができる部材である。負極は、銅箔からなる長尺帯状の負極基材の表面に負極活物質層が形成されたものである。正極は、アルミニウム箔からなる長尺帯状の正極基材の表面に正極活物質層が形成されたものである。
【００４４】
セパレータは、樹脂からなる微多孔性のシートである。そして、発電要素１２０は、負極と正極との間にセパレータが挟み込まれるように層状に配置されたものが、長さ方向に巻き回されることで全体が長円形状となるように形成されている。
【００４５】
集電体１３０は、発電要素１２０の正極と電池容器１００の側壁との間に配置され、電極端子２００と発電要素１２０の正極とに電気的に接続される導電性と剛性とを備えた部材である。つまり、電極端子２００は、集電体１３０を介して発電要素１２０の正極と接続されている。
【００４６】
また、集電体１４０は、発電要素１２０の負極と電池容器１００の側壁との間に配置され、電極端子３００と発電要素１２０の負極とに電気的に接続される導電性と剛性とを備えた部材である。つまり、電極端子３００は、集電体１４０を介して発電要素１２０の負極と接続されている。
【００４７】
具体的には、集電体１３０および１４０のそれぞれは、電池容器１００の側壁と蓋板１１０とに沿って屈曲状態で配置される金属製の板状部材である。
【００４８】
また、集電体１３０には厚肉部１３５が設けられており、電極端子２００のリベット２１０は、当該厚肉部１３５に設けられた貫通孔を貫通した状態でかしめられている。また、集電体１４０には厚肉部１４５が設けられており、電極端子３００のリベット３１０は、当該厚肉部１３５に設けられた貫通孔を貫通した状態でかしめられている。
【００４９】
つまり、集電体１３０は、蓋板１１０に、リベット２１０によって固定的に連結されており、集電体１４０は、蓋板１１０に、リベット３１０によって固定的に連結されている。さらに、集電体１３０および１４０はそれぞれ、発電要素１２０の正極および負極に溶接などによって固定的に接続されている。
【００５０】
これにより、発電要素１２０は、電池容器１００の内部において、集電体１３０および１４０により、蓋板１１０から吊り下げられた状態で保持される。
【００５１】
なお、集電体１３０は、正極と同様、アルミニウムで形成され、集電体１４０は、負極と同様、銅で形成されている。
【００５２】
また、集電体１３０および１４０と発電要素１２０の正極および負極との接合方法は特定の方法に限定されない。例えば、集電体１３０および１４０の一部を折り曲げることにより溶接用のフィン（図示せず）を起立させ、当該フィンで発電要素１２０の正極および負極を挟み込みつつ溶接により接合する方法が採用される。
【００５３】
次に、電極端子２００の取付け部分の詳細について図２を用いて説明する。
【００５４】
なお、本実施の形態において、正極側の電極端子２００と負極側の電極端子３００とは同一の構造であり、同一の技術的特徴を有する。そのため、以下、電極端子２００およびその周辺部分についての説明を中心に行い、電極端子３００およびその周辺部分についての詳細な説明を省略する。
【００５５】
図２は、実施の形態の電池１０における電極端子２００の取付け構造の一例を示す部分断面図である。
【００５６】
具体的には、図２に示す断面図は、図１における電池１０の奥行き方向（Ｙ軸方向）の中央付近をＸＺ平面に平行に切断した場合の、電極端子２００付近の断面を示している。
【００５７】
図２に示すように、電極端子２００は、パッキン２３０を介して蓋板１１０に取り付けられている。
【００５８】
パッキン２３０は、例えば樹脂を成型することで作製されており、電池容器１００の、リベット２１０の取り付け部分における気密性を保持し、電池容器１００と集電体１３０とを絶縁するための部材である。
【００５９】
なお、パッキン２３０は、例えば、インサート成型による一体物として蓋板１１０に設けられてもよい。また、パッキン２３０は、例えば、図２において上下に分けられた２つの部分から構成されてもよい。
【００６０】
また、リベット２１０は、蓋板１１０およびパッキン２３０を貫通し、さらに、集電体１３０の厚肉部１３５に設けられた貫通孔１３６を貫通した状態でかしめられている。
【００６１】
厚肉部１３５は、集電体１３０において他の部分よりも厚み（貫通孔１３６の軸方向の厚み）が大きな部分である。本実施の形態では、厚肉部１３５は、貫通孔１３６の一部を形成する孔を有する集電補助部材１５０が、集電体１３０に取り付けられることで形成されている。集電補助部材１５０は、例えばアルミニウムなどの導電性物質を素材とする平板状の部材である。
【００６２】
このように、本実施の形態における集電体１３０は厚肉部１３５を備え、厚肉部１３５に設けられた貫通孔１３６の内周面を介して、電極端子２００に備えられたリベット２１０と電気的に接続されている。
【００６３】
従って、集電体１３０に厚肉部１３５が存在しない場合と比較すると、リベット２１０と集電体１３０との間の接触面積は増加する。その結果、リベット２１０と発電要素１２０との電気的な接続部分におけるエネルギーの損失は抑制される。
【００６４】
次に、集電体１３０に設けられた厚肉部１３５の構成および各種の変形例について、図３〜図１１を用いて説明する。
【００６５】
図３は、実施の形態における厚肉部１３５の構成の一例を示す断面図である。
【００６６】
図４は、実施の形態における厚肉部１３５の構成の一例を示す下面図である。
【００６７】
なお、図４では、集電体１３０および集電補助部材１５０のそれぞれを容易に識別するために、集電体１３０に斜線を付し、集電補助部材１５０には格子線を付している。
【００６８】
本実施の形態では、図３および図４に示すように、厚肉部１３５に設けられた貫通孔１３６の形状は、円柱形状の軸部を有するリベット２１０の、ＸＹ平面に平行な切断面と同一（略同一も含む、以下同じ）の円形である。また、貫通孔１３６の内径は、リベット２１０の軸部の外径と同一の大きさである。
【００６９】
つまり、本実施の形態では、厚肉部１３５に設けられた貫通孔１３６の形状および大きさは、全周において、リベット２１０の外周面に接触する形状および大きさである。
【００７０】
これにより、リベット２１０の外周面と貫通孔１３６の内周面との接触面積は最大化され、その結果、リベット２１０と集電体１３０との間における接触抵抗はより低減される。
【００７１】
なお、貫通孔１３６の内径が、かしめられる前のリベット２１０の外径よりも大きい場合であっても、リベット２１０をかしめることでリベット２１０の外径が拡大し、その結果、貫通孔１３６の内周面の全周において、リベット２１０と接触させることが可能である。
【００７２】
図５は、実施の形態における電極端子２００の取付け工程の一例を示す断面図である。
【００７３】
図５の（ａ）に示すように、パッキン２３０が配置された蓋板１１０の上方から、リベット２１０が、パッキン２３０に設けられた孔に差し込まれる。これにより、リベット２１０の先端部分が、厚肉部１３５に設けられた貫通孔１３６に差し込まれる。
【００７４】
なお、集電補助部材１５０は、リベット２１０が貫通孔１３６に差し込まれる前に、例えば溶接により、集電体１３０の下面に接合されていてもよい。
【００７５】
次に、図５の（ｂ）に示すように、リベット２１０がかしめられる。具体的には、例えば、リベット２１０の先端が上を向くように、電極端子２００を含む構造物全体が配置される。この状態で、かしめ機のポンチによってリベット２１０の先端が上方から押圧されることでリベット２１０がかしめられる。その結果、図５の（ｂ）に示すように、フランジ状の頭部がリベット２１０の先端に形成される。
【００７６】
ここで、集電体１３０の、上記のフランジ状の頭部を介して押圧力が与えられる部分には厚肉部１３５が備えられている。そのため、例えば、当該押圧力に起因する集電体１３０の歪みの発生が抑制される。
【００７７】
また、例えば、厚肉部１３５がない場合よりも大きな押圧力でリベット２１０をかしめることが可能である。これにより、例えば、電極端子２００が電池容器１００により安定的に固定されるとともに、リベット２１０を集電体１３０に対してより均一に密着させることが可能となる。
【００７８】
なお、集電補助部材１５０は、本実施の形態では、図３および図４等に示すように、中央に孔を有する円盤形状である。しかしながら、集電補助部材１５０は、貫通孔１３６の一部を形成する孔を有していればよく、集電補助部材１５０の形状に特に限定はない。
【００７９】
例えば、貫通孔１３６の一部を形成する孔を有する多角形の金属板が、集電補助部材１５０として採用されてもよい。
【００８０】
また、集電補助部材１５０は、例えば、集電体１３０に食い込む突起を有していてもよい。
【００８１】
図６は、突起１５１を有する集電補助部材１５０の断面の一例を示す図である。
【００８２】
例えば、図６の（ａ）に示すように、集電補助部材１５０が、集電体１３０側の面（図６における上側の面）に突起１５１を有している場合、図６の（ｂ）に示すように、突起１５１は、リベット２１０（図６の（ｂ）では図示を省略）がかしめられることで、集電体１３０に食い込む。
【００８３】
これにより、例えば、集電補助部材１５０と、集電体１３０の表面との間の接触面積を増加させることができ、その結果、集電補助部材１５０と集電体１３０との間の接触抵抗が低減される。
【００８４】
なお、突起１５１が集電体１３０に食い込み易くするように、例えば、集電補助部材１５０の素材として集電体１３０よりも硬度の高い金属が採用されてもよい。
【００８５】
また、集電補助部材１５０の突起１５１の形成の手法に特に限定はない。例えば、平板状の金属である集電補助部材１５０を、下面（集電体１３０とは反対側の面）からポンチ等で打ち抜くことで形成されてもよい。
【００８６】
図７は、集電補助部材１５０を打ち抜くことで形成された突起１５１の形状例を示す斜視図である。
【００８７】
例えば、集電補助部材１５０において、貫通孔１３６の一部を形成する孔（集電補助部材１５０の中央の孔）の周囲の部分を、微小な孔があく程度の力でポンチで打ち抜く。これにより、図７に示すような突起１５１を形成することが可能である。つまり、容易な工程で、集電補助部材１５０に突起１５１を設けることができる。
【００８８】
また、上記微小な孔は必須ではなく、平板状の集電補助部材１５０の下面にポンチ等を押し当てることで、孔を形成させずに突起１５１が形成されてもよい。
【００８９】
また、図７では、集電補助部材１５０に４つの突起１５１が形成されているが、突起１５１の数に特に限定はない。
【００９０】
また、電池１０が備える厚肉部１３５は、図３等に示す構成に限定されず、当該構成以外の構成が採用されてもよい。そこで、図８〜図１１を用いて、実施の形態における厚肉部１３５の各種の変形例を説明する。
【００９１】
図８は、実施の形態における厚肉部１３５の第一の変形例を示す図である。
【００９２】
図８に示す厚肉部１３５は、貫通孔１３６の周囲の部分を厚く形成することで、集電体１３０に一体形成されている。
【００９３】
つまり、本実施の形態では、集電補助部材１５０を集電体１３０に取り付けることで厚肉部１３５を集電体１３０に形成させているが、図８に示すように、集電体１３０と一体の要素として厚肉部１３５が設けられてもよい。
【００９４】
こうすることで、例えば、リベット２１０と集電体１３０との導通状態の高い安定性が確保される。また、電池１０の組み立て手順の簡素化が図られる。
【００９５】
図９は、実施の形態における厚肉部１３５の第二の変形例を示す図である。
【００９６】
図９に示す厚肉部１３５の、集電体１３０の表面から突出した部分の断面形状は、台形である。
【００９７】
つまり、厚肉部１３５の、集電体１３０から突出した部分の断面形状は、図３に示すような矩形である必要はなく、図９に示すような台形であってもよい。また、当該突出した部分の断面形状は、一部または全部が曲線で構成される形状であってもよい。
【００９８】
すなわち、厚肉部１３５は、集電体１３０の他の部分より厚みが大きければ、その形状に特に限定はない。厚肉部１３５の形状は、例えば、厚肉部１３５の形成のし易さ、または、厚肉部１３５と、電池１０の他の構成要素との位置関係等に応じて適宜決定されればよい。
【００９９】
図１０は、実施の形態における厚肉部１３５の第三の変形例を示す図である。
【０１００】
図１１は、実施の形態における厚肉部１３５の第四の変形例を示す図である。
【０１０１】
図１０に示す厚肉部１３５は、集電体１３０から上方に突出した部分が形成されることで、集電体１３０に設けられている。
【０１０２】
また、図１１に示す厚肉部１３５は、集電体１３０の本体から上下に突出した部分が形成されることで、集電体１３０に設けられている。
【０１０３】
つまり、厚肉部１３５の突出方向は、電池容器１００の内方である必要はなく、図１０に示すように電池容器１００の外方であってもよい。また、図１１に示すように、厚肉部１３５は、集電体１３０から上下に突出する形状であってもよい。
【０１０４】
すなわち、厚肉部１３５は、集電体１３０の他の部分よりも厚み（貫通孔１３６の軸方向の厚み）が大きければよい。厚肉部１３５の突出方向は、例えば、電池１０の組み立ての容易さ、または、厚肉部１３５と、電池１０の他の構成要素との位置関係等に応じて適宜決定されればよい。
【０１０５】
以上、本発明の一態様に係る電池について、実施の形態およびその変形例に基づいて説明した。しかしながら、本発明は、これらの実施の形態およびその変形例に限定されるものではない。本発明の趣旨を逸脱しない限り、当業者が思いつく各種変形を本実施の形態またはその変形例に施したものも、あるいは、上記説明された複数の構成要素を組み合わせて構築される形態も、本発明の範囲内に含まれる。
【０１０６】
例えば、図９〜図１１に示す、厚肉部１３５の断面形状は、図２に示す、集電補助部材１５０が集電体１３０に取り付けられることで形成される厚肉部１３５に適用されてもよい。
【０１０７】
つまり、集電補助部材１５０の断面形状として、台形等の矩形以外の形状が採用されてもよい。また、集電補助部材１５０の取り付け位置は、集電体１３０の上面であってもよく、集電体１３０の上面と下面のそれぞれに集電補助部材１５０が取り付けられてもよい。
【０１０８】
また、例えば、上記の実施の形態では、電池容器１００の同一面（蓋板１１０）に、正極端子（電極端子２００）と負極端子（電極端子３００）が、それぞれ一つずつ設けられていた。しかしながら正極端子および負極端子のそれぞれは、電池１０の上面（蓋板１１０）および下面（底板）等、異なる面に、それぞれ一つまたは二つ以上設けられてもよい。
【０１０９】
なお、電極端子（正極端子または負極端子）が電池容器１００の上面（蓋板１１０）以外の側面または下面に配設される場合には、電極端子のリベットが、電池容器１００の側壁部または底板を貫通して取り付けられる。
【０１１０】
また、上記の実施の形態における電極端子２００は、１本のリベット２１０により、電池１０に取り付けられるとした。しかし、電極端子２００は２本以上のリベット２１０によって、電池１０に取り付けられてもよい。
【０１１１】
また、上記の実施の形態における電極端子２００は、基体２０１と、基体とは別体のリベット２１０とで構成されているとした。しかしながら、リベット２１０は基体２０１と一体に形成されることで、電極端子２００に備えられていてもよい。
【０１１２】
図１２は、基体２０１ａに一体に形成されたリベット２１０ａを備える電極端子２００ａの取付け構造の一例を示す部分断面図である。
【０１１３】
図１２に示すように、電池１０が、基体２０１ａに一体に形成されたリベット２１０ａを備える電極端子２００ａを採用した場合であっても、厚肉部１３５による、エネルギー損失の抑制等の各種の効果は発揮される。
【産業上の利用可能性】
【０１１４】
本発明は、リベットがかしめられることで取り付けられる電極端子を備える電池であって、リベットと発電要素との電気的な接続部分におけるエネルギーの損失が抑制された電池を提供することができる。従って、本発明に係る電池は、大電流を長時間必要とする自動車等に搭載される電池として有用である。
【符号の説明】
【０１１５】
１０  電池
１００  電池容器
１１０  蓋板
１２０  発電要素
１３０、１４０  集電体
１５０  集電補助部材
１３５、１４５  厚肉部
１３６  貫通孔
２００、２００ａ、３００  電極端子
２０１、２０１ａ、３０１  基体
２１０、２１０ａ、３１０  リベット
２３０、３３０  パッキン
【図１】
2013161719.tif 000003
【図２】
2013161719.tif 000004
【図３】
2013161719.tif 000005
【図４】
2013161719.tif 000006
【図５】
2013161719.tif 000007
【図６】
2013161719.tif 000008
【図７】
2013161719.tif 000009
【図８】
2013161719.tif 000010
【図９】
2013161719.tif 000011
【図１０】
2013161719.tif 000012
【図１１】
2013161719.tif 000013
【図１２】
2013161719.tif 000014